(57)【要約】  部品点数及びコストを削減することが可能な灯火装置を提供する。  後基板（３４）と、後基板（３４）を取付ける際に後基板（３４）を導くとともに位置決めする前側支柱部（１２ｊ，１２ｋ，１２ｍ）を有するランプボディ（１２）と、後基板（３４）に積層されるようにランプボディ（１２）に配置されて前側支柱部（１２ｊ，１２ｋ，１２ｍ）の先端部に固定される前基板（２６）とを有する。前側支柱部（１２ｊ，１２ｋ，１２ｍ）が、後基板（３４）のガイド及び位置決めと、前基板（２６）の固定とを行うことにより、後基板（３４）及び前基板（２６）のガイド部、位置決め部及び固定部をそれぞれ個別に設ける場合に比べて、ランプボディ（１２）の部品点数及びコストが削減される。
2017159549.tif 000002
【特許請求の範囲】
【請求項１】
第一基板（３４）と、前記第一基板（３４）を取付ける際に前記第一基板（３４）を導くとともに位置決めする位置決めガイド部（１２ｊ，１２ｋ，１２ｍ）を有するランプボディ（１２）と、前記第一基板（３４）に積層されるように前記ランプボディ（１２）に配置されて前記位置決めガイド部（１２ｊ，１２ｋ，１２ｍ）の先端部に固定される第二基板（２６）とを有することを特徴とする灯火装置。
【請求項２】
前記第一基板（３４）の縁部には切欠き（３４ｅ，３４ｆ，３４ｇ）が形成され、前記切欠き（３４ｅ，３４ｆ，３４ｇ）と前記位置決めガイド部（１２ｊ，１２ｋ，１２ｍ）とが係合することにより前記第一基板（３４）のガイドと位置決めとが行われることを特徴とする請求項１に記載の灯火装置。
【請求項３】
前記第二基板（２６）は光源（２１Ｈ，２１Ｌ，２２Ｈ，２２Ｌ）を有し、前記位置決めガイド部（１２ｊ，１２ｋ，１２ｍ）は、前記ランプボディ（１２）の少なくとも左右と上部とに形成され、前記ランプボディ（１２）は、前記第一基板（３４）を固定する固定部（１２ｐ，１２ｑ）が、上下方向又は水平方向に対して斜めに傾斜した直線（３７）上に２箇所配置されていることを特徴とする請求項１又は２に記載の灯火器装置。
【請求項４】
前記ランプボディ（１２）に、前記ランプボディ（１２）内外を連通する通気孔（１２ｖ）が設けられ、前記通気孔（１２ｖ）よりも半径方向外側の前記ランプボディ（１２）の内面に、前記第一基板（３４）との間で隙間を形成する窪み（１４ａ，１４ｂ）が設けられていることを特徴とする請求項１乃至３のいずれか一項に記載の灯火器装置。
【請求項５】
前記通気穴（１２ｖ）は、前記ランプボディ（１２）の上半部と下半部とにそれぞれ一箇所設けられ、前記ランプボディ（１２）の正面視にて前記ランプボディ（１２）の中心（１０Ａ）を通る鉛直線（２７）を引いたときに、前記通気孔（１２ｖ）は、それぞれ前記鉛直線（２７）に対して前記固定部（１２ｐ，１２ｑ）とは反対側に位置することを特徴とする請求項４に記載の灯火器装置。
【請求項６】
前記第一基板（３４）及び前記第二基板（２６）の少なくとも一方は、ワイヤハーネス（３５ａ）を備える電子部品（３５）を有し、表裏方向に前記ワイヤハーネス（３５ａ）を取り回すための切欠き（２６ｋ）が縁部に形成されていることを特徴とする請求項１乃至５のいずれか一項に記載の灯火器装置。
【請求項７】
正面視で、前記ランプボディ（１２）の下半部に設けられる前記通気孔（１２ｖ）は、前記ランプボディ（１２）の上半部に設けられる前記通気孔（１２ｖ）よりも、前記第一基板（３４）の周縁部に近い位置に設けられることを特徴とする請求項４乃至６のいずれか一項に記載の灯火器装置。
【発明の詳細な説明】
【技術分野】
【０００１】  本発明は、灯火装置に関する。
【背景技術】
【０００２】  従来、灯火装置のハウジングに基板を組み付ける際に、ガイド用のリブを用いるものが知られている（例えば、特許文献１参照）。
【先行技術文献】
【特許文献】
【０００３】
【特許文献１】特開２０１５−６８１８号公報
【発明の概要】
【発明が解決しようとする課題】
【０００４】  特許文献１では、ハウジングに基板を複数枚組み付ける場合、基板のガイドや固定部材が重複して必要となるため、部品点数やコストの増大が課題となる。  本発明の目的は、部品点数及びコストを削減することが可能な灯火装置を提供することにある。
【課題を解決するための手段】
【０００５】  この明細書には、２０１６年３月１７日に出願された日本国特許出願・特願２０１６−０５４３７０の全ての内容が含まれる。  上述した課題を解決するため、本発明は、第一基板（３４）と、前記第一基板（３４）を取付ける際に前記第一基板（３４）を導くとともに位置決めする位置決めガイド部（１２ｊ，１２ｋ，１２ｍ）を有するランプボディ（１２）と、前記第一基板（３４）に積層されるように前記ランプボディ（１２）に配置されて前記位置決めガイド部（１２ｊ，１２ｋ，１２ｍ）の先端部に固定される第二基板（２６）とを有することを特徴とする。【０００６】  上記構成において、前記第一基板（３４）の縁部には切欠き（３４ｅ，３４ｆ，３４ｇ）が形成され、前記切欠き（３４ｅ，３４ｆ，３４ｇ）と前記位置決めガイド部（１２ｊ，１２ｋ，１２ｍ）とが係合することにより前記第一基板（３４）のガイドと位置決めとが行われるようにしても良い。  また、上記構成において、前記第二基板（２６）は光源（２１Ｈ，２１Ｌ，２２Ｈ，２２Ｌ）を有し、前記位置決めガイド部（１２ｊ，１２ｋ，１２ｍ）は、前記ランプボディ（１２）の少なくとも左右と上部とに形成され、前記ランプボディ（１２）は、前記第一基板（３４）を固定する固定部（１２ｐ，１２ｑ）が、上下方向又は水平方向に対して斜めに傾斜した直線（３７）上に２箇所配置されていても良い。【０００７】  また、上記構成において、前記ランプボディ（１２）に、前記ランプボディ（１２）内外を連通する通気孔（１２ｖ）が設けられ、前記通気孔（１２ｖ）よりも半径方向外側の前記ランプボディ（１２）の内面に、前記第一基板（３４）との間で隙間を形成する窪み（１４ａ，１４ｂ）が設けられていても良い。  また、上記構成において、前記通気穴（１２ｖ）は、前記ランプボディ（１２）の上半部と下半部とにそれぞれ一箇所設けられ、前記ランプボディ（１２）の正面視にて前記ランプボディ（１２）の中心（１０Ａ）を通る鉛直線（２７）を引いたときに、前記通気孔（１２ｖ）は、それぞれ前記鉛直線（２７）に対して前記固定部（１２ｐ，１２ｑ）とは反対側に位置するようにしても良い。【０００８】  また、上記構成において、前記第一基板（３４）及び前記第二基板（２６）の少なくとも一方は、ワイヤハーネス（３５ａ）を備える電子部品（３５）を有し、表裏方向に前記ワイヤハーネス（３５ａ）を取り回すための切欠き（２６ｋ）が縁部に形成されていても良い。  また、上記構成において、正面視で、前記ランプボディ（１２）の下半部に設けられる前記通気孔（１２ｖ）は、前記ランプボディ（１２）の上半部に設けられる前記通気孔（１２ｖ）よりも、前記第一基板（３４）の周縁部に近い位置に設けられるようにしても良い。
【発明の効果】
【０００９】  本発明は、第一基板と、第一基板を取付ける際に第一基板を導くとともに位置決めする位置決めガイド部を有するランプボディと、第一基板に積層されるようにランプボディに配置されて位置決めガイド部の先端部に固定される第二基板とを有するので、位置決めガイド部が、第一基板のガイド及び位置決めと、第二基板の固定とを行うことにより、ガイド部、位置決め部及び固定部をそれぞれ個別に設ける場合に比べて部品点数及びコストを削減することができる。【００１０】  また、第一基板の縁部には切欠きが形成され、切欠きと位置決めガイド部とが係合することにより第一基板のガイドと位置決めとが行われるので、第一基板への切欠きの形成により、良好なガイド及び位置決めが可能となる。  また、第二基板は光源を有し、位置決めガイド部は、ランプボディの少なくとも左右と上部とに形成され、ランプボディは、第一基板を固定する固定部が、上下方向又は水平方向に対して斜めに傾斜した直線上に２箇所配置されているので、第一基板を固定する固定部を、位置決めガイド部とは干渉しない部分に形成することができる。また、第一基板をその固定部で確実に固定することができる。更に、位置決めガイド部によって、光源を有する第二基板を確実に固定するとともに第一基板の良好なガイド及び位置決めを行うことができる。【００１１】  また、ランプボディに、ランプボディ内外を連通する通気孔が設けられ、通気孔よりも半径方向外側のランプボディの内面に、第一基板との間で隙間を形成する窪みが設けられているので、窪みによって第一基板の表裏面にて熱の対流をスムーズに行うことができる。  また、通気穴は、ランプボディの上半部と下半部とにそれぞれ一箇所設けられ、ランプボディの正面視にてランプボディの中心を通る鉛直線を引いたときに、通気孔は、それぞれ鉛直線に対して固定部とは反対側に位置するので、通気孔と固定部との重複を避けるようにランプボディの下半部と上半部とに通気孔を配置することができ、ランプボディ内の対流を利用してランプボディ内外の通気を促すことができる。【００１２】  また、第一基板及び第二基板の少なくとも一方は、ワイヤハーネスを備える電子部品を有し、表裏方向に前記ワイヤハーネスを取り回すための切欠きが縁部に形成されているので、第一基板及び第二基板の少なくとも一方の表裏方向へのワイヤハーネスの取回しが容易になり、作業性を向上させことができるとともに第一基板及び第二基板の少なくとも一方の組付性を向上させることができ、また、レイアウト自由度を向上させることができる。  また、正面視で、ランプボディの下半部に設けられる通気孔は、ランプボディの上半部に設けられる通気孔よりも、第一基板の周縁部に近い位置に設けられるので、ランプボディ内の熱の対流によってランプボディ側と第一基板との間の隙間を通る空気流の流量を増やすことができる。この結果、ランプボディの下半部に設けられる通気孔からの空気の流入やランプボディの上半部に設けられる通気孔からの空気の流出を促すことができる。
【図面の簡単な説明】
【００１３】
【図１】図１は、ヘッドライトを示す側面図である。
【図２】図２は、ヘッドライトを示す正面図である。
【図３】図３は、図２に示したヘッドライトからアウターレンズ及びレンズ支持体を外した状態を示す正面図である。
【図４】図４は、図３の状態から前基板を外した状態を示す斜視図である。
【図５】図５は、図３の状態から前基板を外した状態を示す正面図である。
【図６】図６は、図４の状態から後基板を外した状態を示す斜視図である。
【図７】図７は、図５の状態から後基板を外した状態を示す正面図である。
【図８】図８は、ハウジング及びランプボディの背面を示す斜視図である。
【図９】図９は、ハウジング及びランプボディの背面を示す背面図である。
【図１０】図１０は、通気孔及びその周辺を示す断面図であり、図１０（Ａ）は図５のＸＡ−ＸＡ線断面図、図１０（Ｂ）は図５のＸＢ−ＸＢ線断面図である。
【発明を実施するための形態】
【００１４】  以下、図面を参照して本発明の一実施の形態について説明する。なお、説明中、前後左右および上下といった方向の記載は、特に記載がなければ車体に対する方向と同一とする。また、各図に示す符号ＦＲは車体前方を示し、符号ＵＰは車体上方を示し、符号ＬＨは車体左方を示している。  図１は、ヘッドライト１０を示す側面図である。  ヘッドライト１０は、自動二輪車のフロントフォークに取付けられたハウジング１１に支持されるランプボディ１２と、ランプボディ１２の前方に配置されるとともにランプボディ１２の外周縁に取付けられた透明なアウターレンズ１３とを備える灯火装置である。ヘッドライト１０及びハウジング１１は、ヘッドライトアッシー１５を構成する。  ハウジング１１は、前ハウジング１１ａと後ハウジング１１ｂとに前後に分割可能に構成され、ヘッドライト１０を収容している。  ランプボディ１２は、樹脂製でカップ形状に形成された一体成形品である。ランプボディ１２の両側の側部１２ａには、ヘッドライト１０をフロントフォーク側で支持するための支持穴１２ｂが設けられている。アウターレンズ１３は、ハウジング１１の前部に設けられた開口から外部に露出している。
【００１５】  図２は、ヘッドライト１０を示す正面図である。  ヘッドライト１０は、アウターレンズ１３の内側に、光源となる複数のＬＥＤチップ２１Ｈ，２１Ｌ，２２Ｈ，２２Ｌと、ＬＥＤチップ２１Ｈ，２１Ｌ，２２Ｈ，２２Ｌの前方にそれぞれ配置される複数の小レンズ２３Ｈ，２３Ｌ，２４Ｈ，２４Ｌとを備える。  複数のＬＥＤチップ２１Ｈ，２１Ｌ，２２Ｈ，２２Ｌは、アウターレンズ１３の後方に配置された前基板２６の前面に取付けられている。複数の小レンズ２３Ｈ，２３Ｌ，２４Ｈ，２４Ｌは、ランプボディ１２に取付けられたレンズ支持部材（不図示）で支持されている。  複数の小レンズ２３Ｈ，２３Ｌは、外形が円形のレンズであり、例えば、フレネルレンズからなる。複数の小レンズ２４Ｈは、外形が円形のレンズであり、小レンズ２３Ｈ，２３Ｌよりも外径が小さく、例えば、ドーム型レンズからなる。複数の小レンズ２４Ｌは、外形が楕円形のレンズであり、例えば、ドーム型レンズからなる。なお、符号１０Ａは正面視でのヘッドライト１０の中心であり、上記したランプボディ１２及びアウターレンズ１３の中心でもある。
【００１６】  図３は、図２に示したヘッドライト１０からアウターレンズ１３及びレンズ支持体を外した状態を示す正面図である。  ランプボディ１２は、環状の周壁１２ｃと、周壁１２ｃの後縁に一体に設けられたカップ形状とされたカップ部１２ｄとを一体に備える。  カップ部１２ｄには、その上部、左部及び右部にそれぞれ前側支柱部１２ｊ，１２ｋ，１２ｍが前方に突出するように形成され、前側支柱部１２ｊ，１２ｋ，１２ｍに前基板２６が複数のビス（不図示）で取付けられる。  前基板２６は、ランプボディ１２の周壁１２ｃの開口部１２ｈよりも小さい略円形とされた外形を有し、前基板２６の上部、左側部及び右側部には取付け用のビスを通すビス挿通穴２６ａ，２６ｂ，２６ｃが開けられている。前基板２６は、複数のビス挿通穴２６ａ，２６ｂ，２６ｃにそれぞれ通されたビスで前側支柱部１２ｊ，１２ｋ，１２ｍに取付けられる。
【００１７】  図２及び図３において、複数のＬＥＤチップ２１Ｈ，２１Ｌは、前基板２６の中央部に、上下方向と左右方向（車幅方向）とにそれぞれ間隔を開けて並べられ、ヘッドライト１０の中心１０Ａから等距離又は略等距離に配置されている。  複数のＬＥＤチップ２２Ｈ，２２Ｈは、中心１０Ａに対して複数のＬＥＤチップ２１Ｈ，２１Ｌよりも外周側に離れて配置され且つＬＥＤチップ２１Ｈよりも下方に配置されて、中心１０Ａから等距離又は略等距離に配置されている。隣り合うＬＥＤチップ２２Ｈ，２２Ｈは、中心１０Ａを通る鉛直線２７に対して角度αだけ隔てて配置されている。  複数のＬＥＤチップ２２Ｌ，２２Ｌは、中心１０Ａに対して複数のＬＥＤチップ２１Ｈ，２１Ｌよりも外周側に離れて配置され且つＬＥＤチップ２１Ｌよりも上方に配置されて、中心１０Ａから等距離又は略等距離に配置されている。隣り合うＬＥＤチップ２２Ｌ，２２Ｌは、中心１０Ａを通る鉛直線２７に対して角度βだけ隔てて配置されている。
【００１８】  小レンズ２３Ｈは、複数のＬＥＤチップ２１Ｈの前方にそれぞれ配置され、複数の小レンズ２３Ｌは、複数のＬＥＤチップ２１Ｌの前方にそれぞれ配置されている。  また、複数の小レンズ２４Ｈは、複数のＬＥＤチップ２２Ｈの前方にそれぞれ配置され、複数の小レンズ２４Ｌは、複数のＬＥＤチップ２２Ｌの前方にそれぞれ配置されている。  小レンズ２３Ｈ，２３Ｌは、上下方向及び左右方向に並べられ、隣り合う小レンズ２３Ｈ，２３Ｌ同士は、近接して配置されている。複数の小レンズ２４Ｈ，２４Ｌは、複数の小レンズ２３Ｈ，２３Ｌの周囲に配置されている。  複数のＬＥＤチップ２１Ｈ，２２Ｈと、複数の小レンズ２３Ｈ，２４Ｈとは、中心１０Ａを通る水平線２８に対して下方に位置し、走行ビーム（ハイビーム）を発する下部ライト部３１を構成する。  複数のＬＥＤチップ２１Ｌ，２２Ｌと、複数の小レンズ２３Ｌ，２４Ｌとは、水平線２８に対して上方に位置し、すれ違いビーム（ロービーム）を発する上部ライト部３２を構成する。
【００１９】  図３において、カップ部１２ｄには、その上部及び下部に水平に且つ直線状に延びるように形成された縦壁１２ｅ，１２ｆと、下側の縦壁１２ｆの左側に近接するように傾斜し且つ直線状に延びるように形成された傾斜壁１２ｇとを備える。  前基板２６は、その周縁部２６ｄの上縁及下縁に水平で直線状に延びるように形成された直線縁部２６ｇ，２６ｈと、下側の直線縁部２６ｈの左側に近接するように傾斜し且つ直線状に延びるように周縁部２６ｄに形成された傾斜縁部２６ｊとを備える。  前基板２６の直線縁部２６ｇ，２６ｈ及び傾斜縁部２６ｊは、ランプボディ１２の縦壁１２ｅ，１２ｆ及び傾斜壁１２ｇによって位置決めされ、ランプボディ１２に対する前基板２６の回転が規制される。上記の傾斜壁１２ｇと傾斜縁部２６ｊとを設けることで、前基板２６の表裏を間違えてランプボディ１２に組み付ける誤組みを防止することができる。  前基板２６の周縁部２６ｄは、直線縁部２６ｇ，２６ｈと、傾斜縁部２６ｊ及び傾斜縁部２６ｊの両側の両側部と、後述する切欠き２６ｋを除いて円の一部に形成されている。
【００２０】  前基板２６の後方には、隙間を空けて前基板２６よりも外形が小さくされた後基板３４が配置されている。正面視で、後基板３４は、前基板２６の周縁部２６ｄよりも内側に位置する。  前基板２６は、その周縁部２６ｄ（詳しくは、右側のＬＥＤチップ２２Ｈの近傍の周縁部２６ｄ）に、前基板２６の表裏方向にワイヤハーネス３５ａ（図４参照）を通すための切欠き２６ｋが形成されている。
【００２１】  図４は、図３の状態から前基板２６を外した状態を示す斜視図である。図５は、図３の状態から前基板２６を外した状態を示す正面図である。  図４及び図５に示すように、ランプボディ１２は、カップ部１２ｄの上部、左部及び右部にそれぞれ前側支柱部１２ｊ，１２ｋ，１２ｍが前方に突出するように形成されている。前側支柱部１２ｊ，１２ｋ，１２ｍは、ビスがねじ込まれる前側ねじ穴１２ｎが開けられている。  後基板３４は、外形が矩形に近い形状に形成されている。後基板３４は、その周縁部３４ａの上縁部３４ｂ、左縁部３４ｃ及び右縁部３４ｄにそれぞれ形成された切欠き３４ｅ，３４ｆ，３４ｇを備える。また、後基板３４は、上縁部３４ｂの切欠き３４ｅよりも左側に開けられた上部ビス挿通穴３４ｈと、後基板３４の下部の中央よりも右側に開けられた下部ビス挿通穴３４ｊとを備える。
【００２２】  後基板３４の周縁部３４ａは、上縁部３４ｂ、左縁部３４ｃ、右縁部３４ｄ及び下縁部３４ｋが切欠き３４ｅ，３４ｆ，３４ｇを除いて直線状に形成され、左縁部３４ｃ、右縁部３４ｄ及び下縁部３４ｋ以外の部分は、半径外側に凸となる円弧状に形成されている。即ち、上縁部３４ｂ、左縁部３４ｃ、右縁部３４ｄ及び下縁部３４ｋのそれぞれの間は、円弧で接続されている。  上縁部３４ｂと下縁部３４ｋ、左縁部３４ｃと右縁部３４ｄは、切欠き３４ｅ，３４ｆ，３４ｇを除いてそれぞれ平行に形成されている。
【００２３】  後基板３４の切欠き３４ｅ，３４ｆ，３４ｇは、ランプボディ１２の前側支柱部１２ｊ，１２ｋ，１２ｍにそれぞれ係合されて、後基板３４がランプボディ１２に位置決めされる。また、後基板３４をランプボディ１２に組付ける際には、前側支柱部１２ｊ，１２ｋ，１２ｍが、後基板３４の組付けの案内部、即ちガイドとなる。  後基板３４の後方のランプボディ１２には、カップ部１２ｄに、後基板３４の上部ビス挿通穴３４ｈ及び下部ビス挿通穴３４ｊの後方に位置する後側支柱部１２ｐ，１２ｑと、一対の凸部１２ｒ，１２ｓとが一体に形成されている。  後基板３４（詳しくは、後基板３４の前面３４ｎ）には、ＬＥＤチップ２１Ｈ，２１Ｌ，２２Ｈ，２２Ｌ（図３参照）の点灯に係わる少なくとも１個の電子部品３５が取付けられている。電子部品３５は、複数本の導線からなるワイヤハーネス３５ａを備え、ワイヤハーネス３５ａを介してＬＥＤチップ２１Ｈ，２１Ｌ，２２Ｈ，２２Ｌの点灯を制御する制御部品に接続される。ワイヤハーネス３５ａは、電子部品３５から前基板２６（図３参照）の切欠き２６ｋ（図３参照）を通って前基板２６の前側に延びている。
【００２４】  図６は、図４の状態から後基板３４を外した状態を示す斜視図である。図７は、図５の状態から後基板３４を外した状態を示す正面図である。  図６及び図７に示すように、前側支柱部１２ｊ，１２ｋ，１２ｍのうち、ランプボディ１２の上部に形成された前側支柱部１２ｊは、鉛直線２７上に位置し、他の前側支柱部１２ｋ，１２ｍは、水平線２８よりも下方に配置されるとともに水平な直線３６上に位置する。前側支柱部１２ｊ，１２ｋ，１２ｍの中心１０Ａからの距離は、等しいか、又は略等しい。前側支柱部１２ｊ，１２ｋ，１２ｍの中心１０Ａからの距離を皆等しくした場合には、前側ねじ穴１２ｎを含む前側支柱部１２ｊ，１２ｋ，１２ｍを形成しやすくすることができ、生産性を向上させることができる。
【００２５】  後側支柱部１２ｐ，１２ｑは、後基板３４（図５参照）を支持する部分であり、鉛直線２７に対して時計回りに角度θ１だけ傾いた直線３７上に位置するようにカップ部１２ｄに形成されている。後側支柱部１２ｐ，１２ｑの先端面には、後基板３４を締結するビス（不図示）がねじ込まれる後側ねじ穴１２ｔがそれぞれ開けられている。後側支柱部１２ｐ，１２ｑの中心１０Ａからの距離は、等しいか、略等しい。後側支柱部１２ｐ，１２ｑの中心１０Ａからの距離を等しくした場合には、後側ねじ穴１２ｔを含む後側支柱部１２ｐ，１２ｑの生産性を向上させることができる。  凸部１２ｒ，１２ｓは、それぞれの前面１２ｕに、ヘッドライト１０（図２参照）の内外（即ち、ランプボディ１２の内外）を連通する通気孔１２ｖが開けられている。通気孔１２ｖによって、ヘッドライト１０内の温度の上昇時又は下降時には、ヘッドライト１０内から外部へ、又は外部からヘッドライト１０内へ通気を行うことが可能になる。
【００２６】  凸部１２ｒ，１２ｓのうち、ランプボディ１２の上部に形成された凸部１２ｒ及び通気孔１２ｖは、鉛直線２７に対して反時計回りに角度θ２だけ傾いた位置に形成されている。角度θ２は、角度θ１とは異なるが、θ２＝θ１とした場合には、後側ねじ穴１２ｔを含む後側支柱部１２ｐと、通気孔１２ｖを含む凸部１２ｒとを形成しやすくすることができ、生産性を向上させることができる。  また、凸部１２ｒ，１２ｓのうち、ランプボディ１２の下部に形成された凸部１２ｓ及び通気孔１２ｖは、鉛直線２７上に位置するように形成されている。  ランプボディ１２のカップ部１２ｄの中央部にはコネクタ装着部１２ｗが形成され、コネクタ装着部１２ｗに設けられた開口部にコネクタ３８が装着されている。コネクタ３８は、その前面には前基板２６（図３参照）及び後基板３４（図４参照）から延びる導線が接続され、コネクタ３８の背面には電源側から延びるワイヤハーネスが接続される。
【００２７】  図８は、ハウジング１１及びランプボディ１２の背面を示す斜視図である。図９は、ハウジング１１及びランプボディ１２の背面を示す背面図である。  図８及び図９に示すように、ランプボディ１２は、その背面１２ｘであって、通気孔１２ｖが設けられた凸部１２ｒ，１２ｓ（図７参照）に対応する位置にキャップ装着部１２ｙ，１２ｙが一体に設けられている。キャップ装着部１２ｙの内側には、外部から通気孔１２ｖに土埃や雨水等が入り込むのを抑制するキャップ４１が嵌められている。空気は、ランプボディ１２とキャップ４１との隙間と通ってヘッドライト１０（図２参照）の内外を流通する。キャップ装着部１２ｙは、ラビリンス構造を有するため、キャップ４１と共に、通気孔１２ｖからランプボディ１２内への土埃、雨水等の進入をより一層抑制することができる。  ハウジング１１は、その上端部及び下端部の内周面に、ランプボディ１２を支持するランプボディ支持具４３が取付けられている。ランプボディ１２の上端部及び下端部には、後方に突出する板状の被支持部１２ｚ，１２ｚが形成され、被支持部１２ｚ，１２ｚがハウジング１１のランプボディ支持具４３に取付けられて支持される。
【００２８】  ランプボディ１２の背面１２ｘから突出するコネクタ３８には、ＬＥＤチップ２１Ｈ，２１Ｌ，２２Ｈ，２２Ｌ（図２参照）を発光させるための電力を供給するワイヤハーネス（（不図示）詳しくは、ワイヤハーネスの端部に設けられたコネクタ）が接続される。  ランプボディ１２の下端部から側方に外れた位置には、ヘッドライト１０の光軸を調整する光軸調整部４５が設けられている。光軸調整部４５は、ランプボディ１２の背面１２ｘに取付けられた基部４６と、基部４６にねじ結合されたビス４７とを備える。ビス４７は、その先端部がハウジング１１側に回動可能に係合されている。ビス４７を回すことにより、ハウジング１１に対してヘッドライト１０が傾き、ヘッドライト１０の光軸が調整可能となる。
【００２９】  図１０は、通気孔１２ｖ及びその周辺を示す断面図である。図１０（Ａ）は図５のＸＡ−ＸＡ線断面図、図１０（Ｂ）は図５のＸＢ−ＸＢ線断面図である。  図１０（Ａ）に示すように、カップ部１２ｄの下部において、凸部１２ｓの前面１２ｕの下側には、前面１２ｕの下縁から前方に略水平に延びる起立面１４ａが形成されている。起立面１４ａは、カップ部１２ｄに凸部１２ｓを形成することで出来た部分であり、下方に凸となる湾曲面に形成された窪みである。起立面１４ａと後基板３４の下縁部３４ｋとの間には距離Ｃ１の隙間５１が設けられている。また、凸部１２ｓの前面１２ｕと後基板３４の裏面３４ｍとの間には隙間５２が設けられている。  図１０（Ｂ）に示すように、カップ部１２ｄの上部において、凸部１２ｒの前面１２ｕの上側には、前面１２ｕの上縁から前方に略水平に延びる起立面１４ｂが形成されている。起立面１４ｂは、カップ部１２ｄに凸部１２ｒを形成することで出来た部分であり、上方に凸となる湾曲面に形成された窪みである。起立面１４ｂと後基板３４の上縁部３４ｂとの間には距離Ｃ２の隙間５３が設けられている。また、凸部１２ｒの前面１２ｕと後基板３４の裏面３４ｍとの間には隙間５４が設けられている。
【００３０】  以上に述べた凸部１２ｒ，１２ｓの各通気孔１２ｖの作用を次に説明する。  図１０（Ａ）において、ＬＥＤチップ２１Ｈ，２１Ｌ，２２Ｈ，２２Ｌ（図３参照）が点灯して、ヘッドライト１０（図２参照）内の温度が上昇すると、ヘッドライト１０内には空気の対流が発生する。  このとき、ヘッドライト１０内の凸部１２ｓ近傍の一部の空気が、矢印Ａで示すように隙間５１を通って隙間５２に流れ込み、隙間５２を上昇する。また、ヘッドライト１０外の空気は、矢印Ｂで示すように、通気孔１２ｖを通ってヘッドライト１０内に流入し、隙間５２を上昇する。  また、図１０（Ｂ）において、ヘッドライト１０内を上昇してきた一部の空気は、矢印Ｃで示すように、隙間５４を上昇し、更に、後基板３４の裏面３４ｍ側から隙間５３を通って後基板３４の前側へ移動する。また、矢印Ｄで示すように隙間５４から通気孔１２ｖを通ってヘッドライト１０外に流出する。
【００３１】  このように、通気孔１２ｖをランプボディ１２の下部と上部とに設けることで、ランプボディ１２内の対流や圧力変化を利用して、ランプボディ１２内から外部への通気、及び外部からランプボディ１２内への通気を促すことができ、ヘッドライト１０内の温度上昇を抑えることができる。  図５及び図１０（Ａ），（Ｂ）において、凸部１２ｒ，１２ｓと後基板３４との間には隙間５２，５４が設けられているため、隙間５２，５４だけで、ランプボディ１２内外の通気を行うことは可能であるが、隙間５２，５４の他に、凸部１２ｒ，１２ｓの下側及び上側にそれぞれ隙間５１，５３を設けることで、対流によって隙間５２，５４を流れる空気の流量を増やすことができる。これにより、通気孔１２ｖを通る空気の流量も増やすことができ、ヘッドライト１０内の温度調節を効果的に行うことができる。  また、図５及び図７において、ランプボディ１２の正面視では、凸部１２ｓの通気孔１２ｖは、凸部１２ｒの通気孔１２ｖよりも後基板３４の周縁部３４ａに近くなるように形成されている。これにより、図１０（Ａ）に示した隙間５１を通って隙間５２に至る矢印Ａで示したような空気流の流量を増やすことができる。この結果、矢印Ｂで示したような通気孔１２ｖからの空気の流入や、図１０（Ｂ）の矢印Ｄで示したような通気孔１２ｖからの空気の流出を促すこととができる。
【００３２】  以上の図３〜図５に示したように、第一基板としての後基板３４と、後基板３４を取付ける際に後基板３４を導くとともに位置決めする位置決めガイド部としての前側支柱部１２ｊ，１２ｋ，１２ｍを有するランプボディ１２と、後基板３４に積層されるようにランプボディ１２に配置されて前側支柱部１２ｊ，１２ｋ，１２ｍの先端部に固定される第二基板としての前基板２６とを有する。  この構成によれば、前側支柱部１２ｊ，１２ｋ，１２ｍが、後基板３４のガイド及び位置決めと、前基板２６の固定とを行うことにより、後基板３４及び前基板２６のガイド部、位置決め部及び固定部をそれぞれ個別に設ける場合に比べて、ランプボディ１２、ひいてはヘッドライト１０の部品点数及びコストを削減することができる。また、軽量化を図ることもできる。
【００３３】  また、図４及び図５に示したように、後基板３４の縁部には切欠き３４ｅ，３４ｆ，３４ｇが形成され、切欠き３４ｅ，３４ｆ，３４ｇと前側支柱部１２ｊ，１２ｋ，１２ｍとが係合することにより後基板３４のガイドと位置決めとが行われるので、後基板３４への切欠き３４ｅ，３４ｆ，３４ｇの形成により、良好なガイド及び位置決めが可能となる。
【００３４】  また、図３、図５及び図７に示したように、前基板２６は光源としてのＬＥＤチップ２１Ｈ，２１Ｌ，２２Ｈ，２２Ｌを有し、前側支柱部１２ｊ，１２ｋ，１２ｍは、ランプボディ１２の少なくとも左右と上部とに形成され、ランプボディ１２は、後基板３４を固定する固定部としての後側支柱部１２ｐ，１２ｑが、上下方向又は水平方向に対して斜めに傾斜した直線３７上に２箇所配置されているので、後基板３４を固定する後側支柱部１２ｐ，１２ｑを、前側支柱部１２ｊ，１２ｋ，１２ｍとは干渉しない部分に形成することができる。また、前側支柱部１２ｊ，１２ｋ，１２ｍによって、ＬＥＤチップ２１Ｈ，２１Ｌ，２２Ｈ，２２Ｌを有する前基板２６を確実に固定するとともに後基板３４の良好なガイド及び位置決めを行うことができる。
【００３５】  また、図４、図５及び図１０（Ａ），（Ｂ）に示したように、ランプボディ１２に、ランプボディ１２内外を連通する通気孔１２ｖが設けられ、通気孔１２ｖよりも半径方向外側のランプボディ１２の内面に、後基板３４（詳しくは、後基板３４の下縁部３４ｋ及び上縁部３４ｂ）との間で隙間５１，５３を形成する窪みとしての起立面１４ａ，１４ｂが設けられているので、窪みである起立面１４ａ，１４ｂによって後基板３４の表裏面にて熱の対流をスムーズに行うことができる。これにより、通気孔１２ｖを通じてヘッドライト１０内外の間を流通する通気を促して、ヘッドライト１０内の温度調節を効果的に行うことができる。
【００３６】  また、図７に示したように、通気穴１２ｖは、ランプボディ１２の上半部と下半部とにそれぞれ一箇所設けられ、ランプボディ１２の正面視にてランプボディ１２の中心１０Ａを通る鉛直線２７を引いたときに、通気孔１２ｖは、それぞれ鉛直線２７に対して後側支柱部１２ｐ，１２ｑとは反対側に位置するので、通気孔１２ｖを含む凸部１２ｒ，１２ｓと、後側支柱部１２ｐ，１２ｑとの重複を避けるようにランプボディ１２の下半部と上半部とに通気孔１２ｖを配置することができ、ランプボディ１２内の対流を利用してランプボディ１２内外の通気を促すことができる。
【００３７】  また、図３及び図５に示したように、前基板２６及び後基板３４の少なくとも一方は、ワイヤハーネス３５ａを備える電子部品３５を有し、前基板２６及び後基板３４の少なくとも一方の表裏方向にワイヤハーネス３５ａを取り回すための切欠き２６ｋが縁部に形成されているので、前基板２６及び後基板３４の少なくとも一方の表裏方向へのワイヤハーネス３５ａの取回しが容易になり、作業性を向上させことができるとともに前基板２６及び後基板３４の少なくとも一方の組付性を向上させることができ、また、レイアウト自由度を向上させることができる。
【００３８】  また、図５及び図１０（Ａ），（Ｂ）に示したように、正面視で、ランプボディ１２の下半部に設けられる通気孔１２ｖは、ランプボディ１２の上半部に設けられる通気孔１２ｖよりも、後基板３４の周縁部３４ａ（即ち、下縁部３４ｋ）に近い位置に設けられるので、ランプボディ１２内の熱の対流によってランプボディ１２側（詳しくは、凸部１２ｒ，１２ｓ）と後基板３４との間の隙間５２，５４を通る空気流の流量を増やすことができる。この結果、ランプボディ１２の下半部に設けられる通気孔１２ｖからの空気の流入（即ち、矢印Ｂで示した空気の流れ）やランプボディ１２の上半部に設けられる通気孔１２ｖからの空気の流出（矢印Ｄで示した空気の流れ）を促すこととができる。
【００３９】  上述した実施形態は、あくまでも本発明の一態様を示すものであり、本発明の主旨を逸脱しない範囲で任意に変形及び応用が可能である。  例えば、上記実施形態において、図７に示した前側支柱部１２ｊ，１２ｋ，１２ｍ、後側支柱部１２ｐ，１２ｑ、凸部１２ｒ，１２ｓ、縦壁１２ｅ，１２ｆ及び傾斜壁１２ｇの配置は、図７に示した位置に限らず、図７に示した位置関係を保った状態で周方向に回転した位置に配置しても良い。要は、少なくとも前側支柱部１２ｊ，１２ｋ，１２ｍ、後側支柱部１２ｐ，１２ｑ及び凸部１２ｒ，１２ｓが重ならないように配置されれば良い。  また、図７に示したように、後基板３４に電子部品３５を取付け、前基板２６の縁部に切欠き２６ｋを形成したが、これに限らず、前基板２６に電子部品３５を取付け、後基板３４の縁部に切欠きを形成しても良い。
【符号の説明】
【００４０】  １０  ヘッドライト（灯火装置）  １０Ａ  中心  １２  ランプボディ  １２ｊ，１２ｋ，１２ｍ  前側支柱部（位置決めガイド部）  １２ｐ，１２ｑ  後側支柱部（固定部）  １２ｖ  通気孔  １４ａ，１４ｂ  起立面（窪み）  ２１Ｈ，２１Ｌ，２２Ｈ，２２Ｌ  ＬＥＤチップ（光源）  ２６  前基板（第二基板）  ２７  鉛直線  ２６ｋ  切欠き  ３４  後基板（第一基板）  ３４ｅ，３４ｆ，３４ｇ  切欠き  ３５  電子部品  ３５ａ  ワイヤハーネス
【図１】
2017159549.tif 000003
【図２】
2017159549.tif 000004
【図３】
2017159549.tif 000005
【図４】
2017159549.tif 000006
【図５】
2017159549.tif 000007
【図６】
2017159549.tif 000008
【図７】
2017159549.tif 000009
【図８】
2017159549.tif 000010
【図９】
2017159549.tif 000011
【図１０】
2017159549.tif 000012
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
第一基板（３４）と、前記第一基板（３４）を取付ける際に前記第一基板（３４）を導くとともに位置決めする位置決めガイド部（１２ｊ，１２ｋ，１２ｍ）を有するランプボディ（１２）と、前記第一基板（３４）に積層されるように前記ランプボディ（１２）に配置されて前記位置決めガイド部（１２ｊ，１２ｋ，１２ｍ）の先端部に固定される第二基板（２６）とを有し、
前記ランプボディ（１２）に、前記ランプボディ（１２）内外を連通する通気孔（１２ｖ）が設けられ、前記通気孔（１２ｖ）よりも半径方向外側の前記ランプボディ（１２）の内面に、前記第一基板（３４）との間で隙間を形成する窪み（１４ａ，１４ｂ）が設けられていることを特徴とする灯火装置。
【請求項２】
前記第一基板（３４）の縁部には切欠き（３４ｅ，３４ｆ，３４ｇ）が形成され、前記切欠き（３４ｅ，３４ｆ，３４ｇ）と前記位置決めガイド部（１２ｊ，１２ｋ，１２ｍ）とが係合することにより前記第一基板（３４）のガイドと位置決めとが行われることを特徴とする請求項１に記載の灯火装置。
【請求項３】
前記第二基板（２６）は光源（２１Ｈ，２１Ｌ，２２Ｈ，２２Ｌ）を有し、前記位置決めガイド部（１２ｊ，１２ｋ，１２ｍ）は、前記ランプボディ（１２）の少なくとも左右と上部とに形成され、前記ランプボディ（１２）は、前記第一基板（３４）を固定する固定部（１２ｐ，１２ｑ）が、上下方向又は水平方向に対して斜めに傾斜した直線（３７）上に２箇所配置されていることを特徴とする請求項１又は２に記載の灯火装置。
【請求項４】
前記通気孔（１２ｖ）は、前記ランプボディ（１２）の上半部と下半部とにそれぞれ一箇所設けられ、前記ランプボディ（１２）の正面視にて前記ランプボディ（１２）の中心（１０Ａ）を通る鉛直線（２７）を引いたときに、前記通気孔（１２ｖ）は、それぞれ前記鉛直線（２７）に対して前記固定部（１２ｐ，１２ｑ）とは反対側に位置することを特徴とする請求項１乃至３のいずれか一項に記載の灯火装置。
【請求項５】
前記第一基板（３４）及び前記第二基板（２６）の少なくとも一方は、ワイヤハーネス（３５ａ）を備える電子部品（３５）を有し、表裏方向に前記ワイヤハーネス（３５ａ）を取り回すための切欠き（２６ｋ）が縁部に形成されていることを特徴とする請求項１乃至４のいずれか一項に記載の灯火装置。
【請求項６】
正面視で、前記ランプボディ（１２）の下半部に設けられる前記通気孔（１２ｖ）は、前記ランプボディ（１２）の上半部に設けられる前記通気孔（１２ｖ）よりも、前記第一基板（３４）の周縁部に近い位置に設けられることを特徴とする請求項４又は５に記載の灯火装置。
【請求項７】
（削除）
【国際調査報告】
2017159549.tif 000013
2017159549.tif 000014
2017159549.tif 000015